(57)【要約】      （修正有）【課題】優れた演色性を有する発光装置を提供する。【解決手段】４４０ｎｍ以上４６０ｎｍ以下の範囲に発光ピーク波長を有する発光素子１０と、蛍光部材とを備え、蛍光部材は、蛍光体として、４４０ｎｍ以上５５０ｎｍ以下の範囲に発光ピーク波長を有し、Ｅｕで賦活されるアルカリ土類アルミン酸塩並びにＣａ、Ｍｇ及びＣｌを組成に有しＥｕで賦活されるケイ酸塩の少なくとも一方を含む第一蛍光体７１と、５００ｎｍ以上６００ｎｍ以下の範囲に発光ピーク波長を有し、Ｃｅで賦活される希土類アルミン酸塩を含む第二蛍光体７２と、６１０ｎｍ以上６５０ｎｍ以下の範囲に発光ピーク波長を有し、Ｓｒ及びＣａの少なくとも一方とＡｌとを組成に有しＥｕで賦活されるシリコンナイトライドを含む第三蛍光体７３と、６５０ｎｍ以上６７０ｎｍ以下の範囲に発光ピーク波長を有し、Ｍｎで賦活されるフルオロジャーマネートを含む第四蛍光体７４と、を含む発光装置１００。【選択図】図１
2019016632.tif 000002
【特許請求の範囲】
【請求項１】
４４０ｎｍ以上４６０ｎｍ以下の範囲に発光ピーク波長を有する発光素子と、蛍光部材とを備え、
前記蛍光部材は、蛍光体として、
４４０ｎｍ以上５５０ｎｍ以下の範囲に発光ピーク波長を有し、Ｅｕで賦活されるアルカリ土類アルミン酸塩並びにＣａ、Ｍｇ及びＣｌを組成に有しＥｕで賦活されるケイ酸塩の少なくとも一方を含む第一蛍光体と、
５００ｎｍ以上６００ｎｍ以下の範囲に発光ピーク波長を有し、Ｃｅで賦活される希土類アルミン酸塩を含む第二蛍光体と、
６１０ｎｍ以上６５０ｎｍ以下の範囲に発光ピーク波長を有し、Ｓｒ及びＣａの少なくとも一方とＡｌとを組成に有しＥｕで賦活されるシリコンナイトライドを含む第三蛍光体と、
６５０ｎｍ以上６７０ｎｍ以下の範囲に発光ピーク波長を有し、Ｍｎで賦活されるフルオロジャーマネートを含む第四蛍光体と、を含む発光装置。
【請求項２】
前記発光装置は、４３０ｎｍ以上５００ｎｍ以下の範囲に発光ピーク波長を有し、Ｃｌを組成に有しＥｕで賦活されるアルカリ土類リン酸塩を含む第五蛍光体をさらに備える、請求項１に記載の発光装置。
【請求項３】
前記第一蛍光体は第１層に含有され、
前記第二蛍光体は第２層に含有され、
前記第三蛍光体は第３層に含有され、
前記第四蛍光体は第４層に含有され、
前記第１層ないし前記第４層は積層されて配置される、請求項１または２に記載の発光装置。
【請求項４】
前記第１層ないし前記第４層は、前記発光素子の上方に配置され、
前記第４層、前記第３層、前記第２層および前記第１層が前記発光素子の上面から順に配置する、請求項３に記載の発光装置。
【請求項５】
前記発光装置は複数のパッケージを備え、
前記第一蛍光体ないし前記第四蛍光体は、前記複数のパッケージのいずれかに配置される、請求項１または２に記載の発光装置。
【請求項６】
相関色温度が２５００Ｋ以上３５００Ｋ以下である光を発し、発光スペクトルにおいて、前記第一蛍光体の前記発光素子に対する発光ピーク強度比が０．９以上１．１５以下である請求項１乃至５のいずれか１項に記載の発光装置。
【請求項７】
相関色温度が４５００Ｋ以上５５００Ｋ以下である光を発し、発光スペクトルにおいて、前記第一蛍光体の前記発光素子に対する発光ピーク強度比が０．６以下である請求項１乃至５のいずれか１項に記載の発光装置。
【請求項８】
相関色温度が２５００Ｋ以上５５００Ｋ以下である光を発し、発光スペクトルにおいて、前記発光素子の発光ピーク波長と前記第一蛍光体の発光ピーク波長の間に位置する範囲で、発光ピーク強度が最も低い部分の前記発光素子に対する発光ピーク強度比が０．２以上０．２７以下である請求項１乃至７のいずれか１項に記載の発光装置。
【請求項９】
前記第一蛍光体が、下記式（１ａ）で示される組成を有するアルカリ土類アルミン酸塩及び下記式（１ｂ）で示される組成を有するケイ酸塩の少なくとも一方を含む請求項１乃至８のいずれか１項に記載の発光装置。
（Ｓｒ，Ｃａ，Ｂａ）４Ａｌ１４Ｏ２５：Ｅｕ    （１ａ）
（Ｃａ，Ｓｒ，Ｂａ）８ＭｇＳｉ４Ｏ１６（Ｆ，Ｃｌ，Ｂｒ）２：Ｅｕ    （１ｂ）
【請求項１０】
前記第二蛍光体が、下記式（２）で示される組成を有する希土類アルミン酸塩を含む請求項１乃至９のいずれか１項に記載の発光装置。
（Ｙ，Ｌｕ，Ｇｄ）３（Ａｌ，Ｇａ）５Ｏ１２：Ｃｅ    （２）
【請求項１１】
前記第三蛍光体が、下記式（３）で示される組成を有するシリコンナイトライドを含む請求項１乃至１０のいずれか１項に記載の発光装置。
（Ｓｒ，Ｃａ）ＡｌＳｉＮ３：Ｅｕ    （３）
【請求項１２】
前記第四蛍光体が、下記式（４ａ）又は（４ｂ）で示される組成を有するフルオロジャーマネートの少なくとも１種を含む請求項１乃至１１のいずれか１項に記載の発光装置。
３．５ＭｇＯ・０．５ＭｇＦ２・ＧｅＯ２：Ｍｎ    （４ａ）
（ｘ-ｓ）ＭｇＯ・（ｓ/２）Ｓｃ２Ｏ３・ｙＭｇＦ２・ｕＣａＦ２・（１-ｔ）ＧｅＯ２・（ｔ/２）Ｍｔ２Ｏ３：ｚＭｎ    （４ｂ）
（式中、ＭｔはＡｌ、Ｇａ及Ｉｎからなる群から選択される少なくとも１種であり、ｘ、ｙ、ｚ、ｓ、ｔ及びｕはそれぞれ、２≦ｘ≦４、０＜ｙ＜１．５、０＜ｚ＜０．０５、０≦ｓ＜０．５、０＜ｔ＜０．５、及び０≦ｕ＜１．５を満たす。）
【請求項１３】
特殊演色評価数Ｒ１２が９０以上である請求項１から１１のいずれか１項に記載の発光装置。
【請求項１４】
特殊演色評価数Ｒ９からＲ１５の総和が６００以上である請求項１から１２のいずれか１項に記載の発光装置。
【発明の詳細な説明】
【技術分野】
【０００１】
本開示は、発光装置に関する。
【背景技術】
【０００２】
発光ダイオード（以下、「ＬＥＤ」とも記載する。）を用いて白色系の光を発する発光装置として、例えば、青色に発光するＬＥＤと黄色に発光する蛍光体とを組み合わせた発光装置がある。この発光装置は、ＬＥＤの青色光と、その光によって励起された蛍光体による黄色光とが混色することにより白色系の光を発する。このような発光装置では、可視光領域における放射強度が強く発光効率は高いが、青緑色領域及び赤色領域における放射強度が充分に得られない場合がある。そのため照射物の色の見え方（以下、「演色性」と呼ぶ。）に更なる改良の余地がある。
【０００３】
ここで、光源の演色性の評価手順は、ＪＩＳ  Ｚ８７２６によって、所定の反射率特性を有する試験色（Ｒ１からＲ１５）を、試験光源と基準光源とでそれぞれ測色した場合の色差ΔＥｉ（ｉは１から１５の整数）を数値計算して演色評価数を算出して行うと定められている。演色評価数Ｒｉ（ｉは１から１５の整数）の上限は１００である。つまり、試験光源とそれに対応する色温度の基準光源の色差が小さいほど、演色評価数は１００に近づき高くなる。演色評価数のうち、Ｒ１からＲ８の平均値は平均演色評価数（以下、Ｒａとも記載する。）と呼ばれ、Ｒ９からＲ１５は特殊演色評価数と呼ばれる。特殊演色評価数について、Ｒ９は赤色、Ｒ１０は黄色、Ｒ１１は緑色、Ｒ１２は青色、Ｒ１３は西洋人の肌の色、Ｒ１４は木の葉の色、Ｒ１５は日本人の肌の色とされている。
【０００４】
光源の演色性を高めるため、青色に発光するＬＥＤと、緑色から黄色に発光する２種類の蛍光体として例えば、クロロシリケート蛍光体と、Ｙ又はＴｂのガーネット蛍光体とを用いた発光装置が提案されている（例えば、特許文献１参照）。また、さらに演色性を高めるため、緑色から黄色に発光する蛍光体に加え、赤色に発光する蛍光体を用いた発光装置が提案されている（例えば、特許文献２参照）。
【先行技術文献】
【特許文献】
【０００５】
【特許文献１】特表２００３−５３５４７７号公報
【特許文献２】特開２００８−０３４１８８号公報
【発明の概要】
【発明が解決しようとする課題】
【０００６】
従来技術の発光装置では、黄色、緑色、赤色等に発光する蛍光体を用いることで、それらに相当する波長領域の色差をある程度小さくすることができた。しかしながら、主に発光素子に由来する青色領域の発光強度を基準光源に近づけ青色領域の色差を小さくすることは難しかった。例えば、蛍光体の量を調節したり拡散材を添加したりして青色の発光強度を調節することも考えられるが、満足な解決には至っていない。ここで特殊演色評価数Ｒ１２は、一般的に、青色の波長領域の発光が大きく関与しており、従来技術の発光装置ではＲ１２の数値が低くなる傾向があった。高い演色性を有する発光装置とするためには、可視光領域において太陽光源のような紫色から青色、そして緑色から黄色、そして橙色から赤色のような一連の連続した発光スペクトルが得られるように発光装置を構成して、このＲ１２の数値を高くする必要がある。
【０００７】
このような問題を解決する発光装置として、演色評価数の算出には寄与しない近紫外領域に発光ピーク波長を有する発光素子を用いる発光装置が挙げられる。しかしながら、近紫外領域の光は、紫外線の成分を多く含んでいるため、人体や照射物に悪影響を及ぼすだけでなく、発光装置の構成部材が劣化したり、発光装置の発光効率が大幅に低下したりする問題があった。
【０００８】
そこで、本開示の一実施形態は、上述したような問題を解決し、優れた演色性を有する発光装置を提供することを目的とする。
【課題を解決するための手段】
【０００９】
本開示の発光装置は、４４０ｎｍ以上４６０ｎｍ以下の範囲に発光ピーク波長を有する発光素子と、蛍光部材とを備え、蛍光部材は、蛍光体として、４４０ｎｍ以上５５０ｎｍ以下の範囲に発光ピーク波長を有し、Ｅｕで賦活されるアルカリ土類アルミン酸塩並びにＣａ、Ｍｇ及びＣｌを組成に有しＥｕで賦活されるケイ酸塩の少なくとも一方を含む第一蛍光体と、５００ｎｍ以上６００ｎｍ以下の範囲に発光ピーク波長を有し、Ｃｅで賦活される希土類アルミン酸塩を含む第二蛍光体と、６１０ｎｍ以上６５０ｎｍ以下の範囲に発光ピーク波長を有し、Ｓｒ及びＣａの少なくとも一方とＡｌとを組成に有しＥｕで賦活されるシリコンナイトライドを含む第三蛍光体と、６５０ｎｍ以上６７０ｎｍ以下の範囲に発光ピーク波長を有し、Ｍｎで賦活されるフルオロジャーマネートを含む第四蛍光体と、を含む。
【発明の効果】
【００１０】
本開示の一実施形態によれば、優れた演色性を有する発光装置を提供することができる。
【図面の簡単な説明】
【００１１】
【図１】本実施形態に係る発光装置の一例を示す概略断面図である。
【図２Ａ】発光装置の発光スペクトルの一例を示す図である。
【図２Ｂ】発光装置の発光スペクトルの一例を示す図である。
【図２Ｃ】発光装置の発光スペクトルの一例を示す図である。
【図３Ａ】本実施形態に係る発光装置の一例を示す概略的上面図である。
【図３Ｂ】図３Ａ中の３Ｂ−３Ｂ線における模式的端面図である。
【図４Ａ】本実施形態に係る発光装置の一例を示す概略的上面図である。
【図４Ｂ】図４Ａ中の４Ｂ−４Ｂ線における模式的端面図である。
【図５】本実施形態に係る発光装置の一例を示す概略的端面図である。
【図６】本実施形態に係る発光装置の一例を示す概略的端面図である。
【図７】本実施形態に係る発光装置の一例を示す概略的上面図である。
【発明を実施するための形態】
【００１２】
以下、本発明を実施するための形態について説明する。ただし、以下に示す実施の形態は、本発明の技術思想を具体化するための発光装置を例示するものであって、本発明は、以下の発光装置に限定されない。なお、本明細書において色名と色度座標との関係、光の波長範囲と単色光の色名との関係等は、ＪＩＳ  Ｚ８１１０に従う。また、組成物中の各成分の含有量は、組成物中に各成分に該当する物質が複数存在する場合、特に断らない限り、組成物中に存在する当該複数の物質の合計量を意味する。
【００１３】
［発光装置］
図１は、本開示の一実施形態に係る発光装置の概略断面図である。発光装置１００は、４４０ｎｍ以上４６０ｎｍ以下の範囲に発光ピーク波長を有する発光素子１０と、蛍光部材５０とを備える。蛍光部材５０は、蛍光体７０として、第一蛍光体７１、第二蛍光体７２、第三蛍光体７３および第四蛍光体７４の少なくとも４種を含む。第一蛍光体７１は、４４０ｎｍ以上５５０ｎｍ以下の範囲に発光ピーク波長を有し、Ｅｕで賦活されるアルカリ土類アルミン酸塩並びにＣａ、Ｍｇ及びＣｌを組成に有しＥｕで賦活されるケイ酸塩の少なくとも一方を含む。第二蛍光体７２は、５００ｎｍ以上６００ｎｍ以下の範囲に発光ピーク波長を有し、Ｃｅで賦活される希土類アルミン酸塩を含む。第三蛍光体７３は、６１０ｎｍ以上６５０ｎｍ以下の範囲に発光ピーク波長を有し、Ｓｒ及びＣａの少なくとも一方とＡｌとを組成に有しＥｕで賦活されるシリコンナイトライドを含む。第四蛍光体７４は、６５０ｎｍ以上６７０ｎｍ以下の範囲に発光ピーク波長を有し、Ｍｎで賦活されるフルオロジャーマネートを含む。蛍光部材５０に含まれる蛍光体７０の総量に対する第一蛍光体７１の含有率は１０質量％以上６０質量％以下であることが好ましく、１５質量％以上４０質量％以下であることがより好ましい。
【００１４】
特定の発光ピーク波長を有する発光素子１０と、少なくとも４種の特定の蛍光体を含むことで、演色評価数の算出に係る可視光領域の短波側から長波側の極めて広い範囲において発光装置１００の発光スペクトルを基準光源のスペクトルに近づけることができる。これにより、優れた演色性を達成することが可能となる。また特定の波長域に発光ピークを有する発光素子１０を含むことで、光源として高い発光効率を達成することができる。更に特定の発光素子１０と、第一蛍光体７１を特定の含有量で含む蛍光部材５０とを備えることで、特に特殊演色評価数Ｒ１２を向上させることができる。
【００１５】
平均演色評価数Ｒａについて、ＣＩＥ（国際照明委員会）は、蛍光ランプが具備すべき演色性の指針を１９８６年に公表している。その指針によれば、使用される場所に応じた好ましい平均演色評価数Ｒａは、一般作業を行う工場では６０以上８０未満、住宅、ホテル、レストラン、店舗、オフィス、学校、病院、精密作業を行う工場などでは８０以上９０未満、高い演色性が求められる臨床検査を行う場所、美術館などでは９０以上とされている。
【００１６】
本実施形態に係る発光装置１００のＲａは、例えば８０以上であり、９０以上が好ましく、９５以上がより好ましい。また発光装置１００の特殊演色評価数Ｒ９からＲ１５はそれぞれ、例えば５０以上であり、７０以上が好ましく、９０以上がより好ましい。特にＲ１２は、例えば６０以上であり、８０以上が好ましく、９０以上がより好ましい。また特殊演色評価数Ｒ９からＲ１５の総和（以下、Ｒｔともいう）は、例えば５７０以上であり、６００以上が好ましく、６５０以上がより好ましい。
【００１７】
発光装置１００が発する光は、発光素子１０の光と、第一蛍光体７１、第二蛍光体７２、第三蛍光体７３及び第四蛍光体７４が発する蛍光との混色光であり、例えば、ＣＩＥ１９３１に規定される色度座標が、ｘ＝０．００から０．６０且つｙ＝０．００から０．５０の範囲に含まれる光とすることができ、ｘ＝０．２５から０．５０且つｙ＝０．２５から０．５０の範囲に含まれる光とすることもできる。また発光装置１００が発する光の相関色温度は、例えば２０００Ｋ以上又は２５００Ｋ以上である。また相関色温度は７５００Ｋ以下又は７０００Ｋ以下である。
【００１８】
本実施形態に係る発光装置１００を図１に基づいて詳細に説明する。発光装置１００は、表面実装型発光装置の一例である。
【００１９】
図１で示す発光装置１００は、可視光の短波長側（例えば、３８０ｎｍ以上４８５ｎｍ以下の範囲）の光を発し、発光ピーク波長が４４０ｎｍ以上４６０ｎｍ以下の範囲内にある窒化ガリウム系化合物半導体の発光素子１０と、発光素子１０を載置するパッケージ４０と、を有する。パッケージ４０は、例えば、第1リード２０及び第２リード３０と、樹脂部４２とが一体的に形成されてなるものである。なお、樹脂部４２に代えてセラミックスを材料として既に知られた方法を利用してパッケージ４０を形成することもできる。パッケージ４０は底面と側面を持つ凹部を形成しており、凹部の底面に発光素子１０が載置されている。発光素子１０は一対の正負の電極を有しており、その一対の正負の電極はそれぞれ第1リード２０及び第２リード３０とワイヤ６０を介して電気的に接続されている。発光素子１０は蛍光部材５０により被覆されている。蛍光部材５０は例えば、発光素子１０からの光を波長変換する蛍光体７０として第一蛍光体７１、第二蛍光体７２、第三蛍光体７３及び第四蛍光体７４の少なくとも４種の蛍光体と樹脂部とを含有してなる。
【００２０】
（発光素子１０）
発光素子１０の発光ピーク波長は、４４０ｎｍ以上４６０ｎｍ以下の範囲にあり、発光効率の観点から、４４５ｎｍ以上４５５ｎｍ以下の範囲にあることが好ましい。この範囲に発光ピーク波長を有する発光素子１０を励起光源として用いることにより、発光素子１０からの光と蛍光体７０からの蛍光との混色光を発する発光装置１００を構成することが可能となる。また発光素子１０から外部に放射される光を有効に利用することができるため、発光装置１００から出射される光の損失を少なくすることができ、高効率な発光装置１００を得ることができる。
【００２１】
発光素子１０の発光スペクトルの半値幅は例えば、３０ｎｍ以下とすることができる。
発光素子１０にはＬＥＤなどの半導体発光素子を用いることが好ましい。光源として半導体発光素子を用いることによって、高効率で入力に対する出力のリニアリティが高く、機械的衝撃にも強い安定した発光装置１００を得ることができる。
半導体発光素子としては、例えば、窒化物系半導体（ＩｎＸＡｌＹＧａ１−Ｘ−ＹＮ、ここでＸ及びＹは、０≦Ｘ、０≦Ｙ、Ｘ＋Ｙ≦１を満たす）を用いた青色に発光する半導体発光素子を用いることができる。なお、発光装置１００は、少なくとも１つの発光素子１０を備えていればよく、２つ以上の発光素子１０を備えていてもよいし、発光素子１０と発光素子１０と異なる発光ピーク波長を有する別の発光素子を備えていてもよい。
【００２２】
（蛍光部材５０）
蛍光部材５０は、例えば、蛍光体７０と樹脂部とを含むことができる。蛍光部材５０は蛍光体７０として、発光素子１０から発せられる光を吸収し、青〜緑色に発光する第一蛍光体７１の少なくとも１種と、黄色に発光する第二蛍光体７２の少なくとも１種と、赤色に発光する第三蛍光体７３の少なくとも１種と、深赤色に発光する第四蛍光体７４の少なくとも１種とを含む。第一蛍光体７１から第四蛍光体７４は、互いに異なる組成を有している。第一蛍光体７１から第四蛍光体７４の構成比率を適宜選択することで発光装置１００の発光効率、演色性等の特性を所望の範囲とすることができる。
【００２３】
（第一蛍光体７１）
発光装置１００は、青〜緑色に発光する第一蛍光体７１を有することで、従来は発光素子のみに由来していた青色領域の発光強度を基準光源に近づけることが容易になり、発光装置１００の演色性を向上させることができる。
【００２４】
第一蛍光体７１は、４４０ｎｍ以上５５０ｎｍ以下の範囲に発光ピーク波長を有し、Ｅｕで賦活されるアルカリ土類アルミン酸塩、並びにＣａ、Ｍｇ及びＣｌを組成に有しＥｕで賦活されるケイ酸塩の少なくとも一方を含む緑色発光の蛍光体である。第一蛍光体７１は、少なくともアルカリ土類アルミン酸塩を含むことが好ましい。アルカリ土類アルミン酸塩は、例えば下記式（１ａ）で示される組成を有することが好ましく、下記式（１ａ’）で示される組成を有することがより好ましい。ケイ酸塩は、例えば下記式（１ｂ）で示される組成を有することが好ましく、下記式（１ｂ’）で示される組成を有することがより好ましい。特定の組成を有することで、以下に説明する第一蛍光体７１の各発光特性を比較的容易に得ることができる。
（Ｓｒ，Ｃａ，Ｂａ）４Ａｌ１４Ｏ２５：Ｅｕ    （１ａ）
Ｓｒ４Ａｌ１４Ｏ２５：Ｅｕ    （１ａ’）
（Ｃａ，Ｓｒ，Ｂａ）８ＭｇＳｉ４Ｏ１６（Ｆ，Ｃｌ，Ｂｒ）２：Ｅｕ    （１ｂ）
Ｃａ８ＭｇＳｉ４Ｏ１６Ｃｌ２：Ｅｕ    （１ｂ’）
【００２５】
第一蛍光体７１が式（１ｂ）で示される組成を有する場合、第一蛍光体７１はＣａ、Ｓｒ及びＢａからなる群から選択される少なくとも１種を含むが、少なくともＣａを含むことが好ましく、Ｃａ、Ｓｒ及びＢａのうちのＣａ含有率が９０モル％以上であることがより好ましい。第一蛍光体７１はＦ、Ｃｌ及びＢｒからなる群から選択される少なくとも１種を含むが、少なくともＣｌを含むことが好ましく、Ｆ、Ｃｌ及びＢｒのうちのＣｌ含有率が９０モル％以上であることがより好ましい。
【００２６】
第一蛍光体７１の極大励起波長は、例えば２７０ｎｍ以上４７０ｎｍ以下であり、３７０ｎｍ以上４６０ｎｍ以下が好ましい。上記発光素子１０の発光ピーク波長の範囲で、効率よく励起させることができる。
第一蛍光体７１が式（１ａ）で示される組成を有する場合、その発光ピーク波長は、例えば４００ｎｍ以上５５０ｎｍ以下であり、４６０ｎｍ以上５３０ｎｍ以下であることが好ましい。また発光スペクトルにおける半値幅は、例えば５８ｎｍ以上７８ｎｍ以下であり、６３ｎｍ以上７３ｎｍ以下が好ましい。
第一蛍光体７１が式（１ｂ）で示される組成を有する場合、その発光ピーク波長は、例えば５１０ｎｍ以上５４０ｎｍ以下であり、５２０ｎｍ以上５３０ｎｍ以下が好ましい。また発光スペクトルにおける半値幅は、例えば５０ｎｍ以上７５ｎｍ以下であり、５８ｎｍ以上６８ｎｍ以下が好ましい。
このような第一蛍光体７１の少なくとも１種を用いることで、色純度を向上させて、青〜緑色領域における発光スペクトルを基準光源に近づけることができ、発光装置１００の演色性をより向上させることができる。
【００２７】
例えば、相関色温度が２０００Ｋ以上７５００Ｋ以下の光を発する発光装置１００の場合、蛍光部材５０中の総蛍光体量に対する第一蛍光体７１の含有率（第一蛍光体量／総蛍光体量；以下、単に「第一蛍光体７１の含有率」ともいう。）は、１０質量％以上であり、１５質量％以上であることが好ましく、２０質量％以上であることがより好ましい。また第一蛍光体７１の含有率は、５０質量％以下であり、４０質量％以下であることが好ましく、３５質量％以下であることがより好ましい。また、蛍光部材５０全体に対する第一蛍光体７１の含有率（第一蛍光体の質量／蛍光部材の質量）は、１０質量％以上５０質量％以下であり、２５質量％以上４０質量％以下であることが好ましい。
【００２８】
例えば、相関色温度が２５００Ｋ以上３５００Ｋ以下の光を発する発光装置１００の場合、第一蛍光体７１の含有率は、例えば１０質量％以上であり、１５質量％以上であることが好ましく、２０質量％以上であることがより好ましい。また第一蛍光体７１の含有率は、例えば３０質量％以下であり、２５質量％以下であることが好ましく、２３質量％以下であることがより好ましい。
図２Ａは、発光装置１００の発光スペクトルの一例を示す図である。図２Ａで示すように、相関色温度が２５００Ｋ以上３５００Ｋ以下である光を発する発光装置１００の場合、発光スペクトルにおいて、第一蛍光体７１の発光素子１０に対する発光ピーク強度比は０．９以上１．１５以下であることが好ましい。第一蛍光体７１の含有率および発光ピーク強度が上記範囲内であると、発光装置１００の青〜緑色領域における発光スペクトルを基準光源により近づけることができ、演色性をより向上させることができる。
【００２９】
例えば、相関色温度が４５００Ｋ以上５５００Ｋ未満の光を発する発光装置１００の場合、第一蛍光体７１の含有率は、例えば１５質量％以上であり、２０質量％以上であることが好ましく、３０質量％以上であることがより好ましい。また第一蛍光体７１の含有率は、例えば５０質量％以下であり、４０質量％以下であることが好ましく、３５質量％以下であることがより好ましい。
図２Ｂおよび図２Ｃは、発光装置１００の発光スペクトルの一例を示す図である。図２Ｂおよび図２Ｃで示すように、相関色温度が４５００Ｋ以上５５００Ｋ以下である光を発する発光装置１００の場合、発光スペクトルにおいて、第一蛍光体７１の発光素子１０に対する発光ピーク強度比が０．６以下であることが好ましい。第一蛍光体７１の含有率および発光ピーク強度が上記範囲内であると、発光装置１００の青〜緑色領域における発光スペクトルを基準光源により近づけることができ、演色性をより向上させることができる。
【００３０】
また、図２Ａないし図２Ｃで示すように、相関色温度が２５００Ｋ以上５５００Ｋ以下である光を発する発光装置１００の場合、発光スペクトルにおいて、発光素子１０の発光ピーク波長と第一蛍光体７１の発光ピーク波長の間に位置する範囲で、発光ピーク強度が最も低い部分の発光素子１０に対する発光ピーク強度比が０．２以上０．２７以下であることが好ましい。これにより、発光装置１００の青〜緑色領域における発光スペクトルを基準光源により近づけることができ、演色性をより向上させることができる。
【００３１】
（第二蛍光体７２）
第二蛍光体７２は、５００ｎｍ以上６００ｎｍ以下の範囲に発光ピーク波長を有し、Ｃｅで賦活される希土類アルミン酸塩を含む黄色発光の蛍光体である。第二蛍光体７２は、例えば下記式（２）で示される組成を有することが好ましく、下記式（２’）で示される組成を有することがより好ましい。これにより、以下に説明する第二蛍光体７２の各発光特性を比較的容易に得ることができる。
（Ｙ，Ｌｕ，Ｇｄ）３（Ａｌ，Ｇａ）５Ｏ１２：Ｃｅ    （２）
Ｙ３Ａｌ５Ｏ１２：Ｃｅ    （２’）
【００３２】
第二蛍光体７２の極大励起波長は、例えば２２０ｎｍ以上４９０ｎｍ以下であり、４３０ｎｍ以上４７０ｎｍ以下が好ましい。上記発光素子１０の発光ピーク波長の範囲で、効率よく励起させることができる。第二蛍光体７２のピーク波長は、例えば４８０ｎｍ以上６３０ｎｍ以下であり、５００ｎｍ以上５６０ｎｍ以下が好ましい。このような範囲とすることにより、第二蛍光体７２の発光スペクトルとの重複を少なくし、黄色領域における発光スペクトルを基準光源に近づけることができ、発光装置１００の演色性をより向上させることができる。第二蛍光体７２の発光スペクトルにおける半値幅は、例えば９５ｎｍ以上１１５ｎｍ以下であり、１００ｎｍ以上１１０ｎｍ以下が好ましい。このような半値幅の範囲にすることにより、色純度を向上させて、黄色領域における発光スペクトルを基準光源に近づけることができるので、発光装置１００の演色性をより向上させることができる。
【００３３】
例えば、相関色温度が２０００Ｋ以上７５００Ｋ以下の光を発する発光装置１００の場合、蛍光部材５０中の総蛍光体量に対する第二蛍光体７２の含有率（第二蛍光体量／総蛍光体量；以下、単に「第二蛍光体７２の含有率」ともいう。）は、例えば１５質量％以上であり、２０質量％以上であることが好ましく、２５質量％以上であることがより好ましい。また第二蛍光体７２の含有率は、例えば６０質量％以下であり、５０質量％以下であることが好ましく、４５質量％以下であることがより好ましい。また、蛍光部材５０全体に対する第二蛍光体７２の含有率（第二蛍光体の質量／蛍光部材の質量）は、１０質量％以上８０質量％以下であり、２０質量％以上７０質量％以下であることが好ましい。
【００３４】
また例えば、相関色温度が２５００Ｋ以上３５００Ｋ以下の光を発する発光装置１００の場合、第二蛍光体７２の含有率は、例えば２０質量％以上であり、３０質量％以上であることが好ましく、３５質量％以上であることがより好ましい。また第二蛍光体７２の含有率は、例えば５５質量％以下であり、５０質量％以下であることが好ましく、４５質量％以下であることがより好ましい。
また例えば、相関色温度が４５００Ｋ以上５５００Ｋ未満の光を発する発光装置１００の場合、第二蛍光体７２の含有率は、例えば１５質量％以上であり、２０質量％以上であることが好ましく、２５質量％以上であることがより好ましい。また第二蛍光体７２の含有率は、例えば４０質量％以下であり、３５質量％以下であることが好ましく、３０質量％以下であることがより好ましい。
第二蛍光体７２の含有率が上記範囲内であると、発光装置１００の黄色領域における発光スペクトルを基準光源により近づけることができ、演色性をより向上させることができる。
【００３５】
（第三蛍光体７３）
第三蛍光体７３は、６１０ｎｍ以上６５０ｎｍ以下の範囲に発光ピーク波長を有し、Ｓｒ及びＣａの少なくとも一方とＡｌとを組成に有しＥｕで賦活されるシリコンナイトライドを含む赤色発光の蛍光体である。第三蛍光体７３は、例えば下記式（３）で示される組成を有することが好ましい。これにより、以下に説明する第三蛍光体７３の各発光特性を比較的容易に得ることができる。
（Ｓｒ，Ｃａ）ＡｌＳｉＮ３：Ｅｕ    （３）
【００３６】
第三蛍光体７３が式（３）で示される組成を有する場合、第三蛍光体７３はＳｒ及びＣａからなる群から選択される少なくとも１種を含むが、ＳｒとＣａの両方を含むことが好ましく、ＳｒとＣａの両方を含み、Ｓｒ及びＣａのうちのＳｒ含有率が０．８モル％以上であることがより好ましい。これにより、第三蛍光体７３の発光ピーク波長を所望の範囲とすることができる。
【００３７】
第三蛍光体７３の発光ピーク波長は、例えば６２０ｎｍ以上６５０ｎｍ以下であり、６３０ｎｍ以上６４５ｎｍ以下が好ましい。上記下限値以上であると、後述する第四蛍光体７４の発光ピーク波長と第三蛍光体７３の発光ピーク波長の間の発光強度が不足することなく、赤色領域における発光スペクトルを基準光源により近づけることができる。上記上限値以下であると、第三蛍光体７３の発光スペクトルと第四蛍光体７４の発光スペクトルとの重複を少なくすることができ、第四蛍光体７４の発光スペクトルの効果が効率的に得られ、演色性をより向上させることができる。第三蛍光体７３の発光スペクトルにおける半値幅は、例えば８０ｎｍ以上１００ｎｍ以下であり、８５ｎｍ以上９５ｎｍ以下が好ましい。このような半値幅の範囲とすることにより、第三蛍光体７３の発光スペクトルと第四蛍光体７４の発光スペクトルとの重複が少なくなるので、第四蛍光体７４の発光スペクトルの効果が効率的に得られ、演色性をより向上させることができる。
【００３８】
例えば、相関色温度が２０００Ｋ以上７５００Ｋ以下の光を発する発光装置１００の場合、蛍光部材中の総蛍光体量に対する第三蛍光体７３の含有量の含有率（第三蛍光体量／総蛍光体量；以下、単に「第三蛍光体７３の含有率」ともいう。）は、例えば０．５質量％以上であり、１質量％以上であることが好ましく、３質量％以上であることがより好ましい。また第三蛍光体７３の含有率は、例えば１０質量％以下であり、８質量％以下であることが好ましい。また、蛍光部材５０全体に対する第三蛍光体７３の含有率（第三蛍光体の質量／蛍光部材の質量）は、１質量％以上１５質量％以下であり、３質量％以上１０質量％以下であることが好ましい。
【００３９】
また例えば、相関色温度が２５００Ｋ以上３５００Ｋ以下の光を発する発光装置１００の場合、第三蛍光体７３の含有率は、例えば１質量％以上であり、１．５質量％以上であることが好ましく、３質量％以上であることがより好ましい。また第三蛍光体７３の含有率は、例えば１０質量％以下であり、８質量％以下であることが好ましい。
また例えば、相関色温度が４５００Ｋ以上５５００Ｋ未満の光を発する発光装置１００の場合、第三蛍光体７３の含有率は、例えば０．５質量％以上であり、１質量％以上であることが好ましく、３質量％以上であることがより好ましい。また第三蛍光体７３の含有率は、例えば１０質量％以下であり、８質量％以下であることが好ましい。
第三蛍光体７３の含有率が上記範囲内であると、発光装置１００の赤色領域における発光スペクトルを基準光源により近づけることができ、演色性をより向上させることができる。
【００４０】
（第四蛍光体７４）
第四蛍光体７４は、６５０ｎｍ以上６７０ｎｍ以下の範囲に発光ピーク波長を有し、Ｍｎで賦活されるフルオロジャーマネートを含む深赤色発光の蛍光体である。第四蛍光体７４は、例えば下記式（４ａ）又は（４ｂ）で示される組成を有するフルオロジャーマネートの少なくとも１種であることが好ましい。式（４ａ）又は（４ｂ）で示される組成を有する蛍光体の発光ピーク波長は、赤色発光の他の蛍光体よりも長く、６５０ｎｍ以上である。そのため、長波長領域の発光スペクトルを効果的に基準光源に近づけることができ、発光装置１００の演色性をより向上させることができる。
３．５ＭｇＯ・０．５ＭｇＦ２・ＧｅＯ２：Ｍｎ    （４ａ）
（ｘ-ｓ）ＭｇＯ・（ｓ/２）Ｓｃ２Ｏ３・ｙＭｇＦ２・ｕＣａＦ２・（１-ｔ）ＧｅＯ２・（ｔ/２）Ｍｔ２Ｏ３：ｚＭｎ    （４ｂ）
【００４１】
ただし、式（４ｂ）中、ｘ、ｙ、ｚ、ｓ、ｔ及びｕは、２．０≦ｘ≦４．０、０＜ｙ＜１．５、０＜ｚ＜０．０５、０≦ｓ＜０．５、０＜ｔ＜０．５、０≦ｕ＜１．５を満たし、さらにｙ+ｕ＜１．５を満たすことが好ましい。また上記一般式（４ｂ）中のＭｔはＡｌ、Ｇａ及びＩｎからなる群から選択される少なくとも１種である。
【００４２】
式（４ｂ）において、好ましくは０．０５≦ｓ≦０．３、０．０５≦ｔ＜０．３であり、これによりさらに輝度を向上させることができる。更に第四蛍光体７４は、下記式（４ｂ’）で示される組成を有することが好ましい。これにより、上記発光素子１０の発光ピーク波長を含む波長範囲の光により、第四蛍光体７４を効率よく励起することができる。
３．４ＭｇＯ・０．１Ｓｃ２Ｏ３・０．５ＭｇＦ２・０．８８５ＧｅＯ２・０．１Ｇａ２Ｏ３：０．０１５Ｍｎ    （４ｂ’）
【００４３】
第四蛍光体７４の発光スペクトルにおける半値幅は、例えば４５ｎｍ以下であり、４０ｎｍ以下であることが好ましい。このような半値幅の範囲にすることにより、色純度を向上させて、赤色領域における発光スペクトルを基準光源に近づけることができ、発光装置１００の演色性をより向上させることができる。また第四蛍光体７４の発光スペクトルは、最大発光強度を１００％とした場合に、６００ｎｍ以上６２０ｎｍ以下の範囲における平均発光強度が例えば２０％以下であり、１０％以下であることが好ましい。上記範囲であると、第四蛍光体７４の発光スペクトルが第三蛍光体７３の発光スペクトルと重複することが少なくなるので、第三蛍光体７３の発光スペクトルの効果がより効率的に得られ、演色性をより向上させることができる。
【００４４】
例えば、相関色温度が２０００Ｋ以上７５００Ｋ以下の光を発する発光装置１００の場合、蛍光部材５０中の総蛍光体量に対する第四蛍光体７４の含有率（第四蛍光体量／総蛍光体量；以下、単に「第四蛍光体７４の含有率」ともいう。）は、例えば２５質量％以上であり、３０質量％以上であることが好ましい。また第四蛍光体７４の含有率は、例えば５０質量％以下であり４５質量％以下であることが好ましく、４０質量％以下であることがより好ましい。また、蛍光部材５０全体に対する第四蛍光体７４の含有率（第四蛍光体の質量／蛍光部材の質量）は、２０質量％以上６０質量％以下であり、３０質量％以上５５質量％以下であることが好ましい。
【００４５】
また例えば、相関色温度が２５００Ｋ以上３５００Ｋ以下の光を発する発光装置１００の場合、第四蛍光体７４の含有率は、例えば２０質量％以上であり、３０質量％以上であることが好ましい。また第四蛍光体７４の含有率は、例えば５０質量％以下であり、４０質量％以下であることが好ましい。
また例えば、相関色温度が４５００Ｋ以上５５００Ｋ未満の光を発する発光装置１００の場合、第四蛍光体７４の含有率は、例えば２０質量％以上であり、３０質量％以上であることが好ましい。また第四蛍光体７４の含有率は、例えば５０質量％以下であり、４０質量％以下であることが好ましい。
第四蛍光体７４の含有率が上記範囲内であると、発光装置１００の赤色領域における発光スペクトルを基準光源により近づけることができ、演色性をより向上させることができる。
【００４６】
蛍光部材５０は、第一蛍光体７１から第四蛍光体７４以外のその他の蛍光体を必要に応じて含んでいてもよい。その他の蛍光体として、好ましい蛍光体は、例えば、発光素子１０から発せられる光を吸収し、青色に発光する第五蛍光体７５である。第五蛍光体７５は、４３０ｎｍ以上５００ｎｍ以下の範囲に発光ピーク波長を有し、Ｃｌを組成に有しＥｕで賦活されるアルカリ土類リン酸塩を含む青色発光の蛍光体である。第五蛍光体７５は、例えば下記式（５）で示される組成を有することが好ましく、下記式（５’）で示される組成を有することがより好ましい。これにより、以下に説明する第五蛍光体７５の各発光特性を比較的容易に得ることができる。
（Ｃａ，Ｓｒ，Ｂａ）５（ＰＯ４）３（Ｃｌ，Ｂｒ）：Ｅｕ    （５）
Ｃａ５（ＰＯ４）３Ｃｌ：Ｅｕ    （５’）
【００４７】
第五蛍光体７５の極大励起波長は、例えば３６０ｎｍ以上４４０ｎｍ以下であり、３７０ｎｍ以上４３０ｎｍ以下が好ましい。上記発光素子１０の発光ピーク波長の範囲で、効率よく励起させることができる。第五蛍光体７５の発光ピーク波長は、例えば４３０ｎｍ以上５００ｎｍ以下の範囲であり、４４０ｎｍ以上４８０ｎｍ以下の範囲にあることが好ましい。このような範囲とすることにより、発光装置１００の発光スペクトルは、特に青色領域について第五蛍光体７５の発光スペクトルと、発光素子１０の発光スペクトル及び第一蛍光体７１の発光スペクトルとの重複が少なくなる。さらに、発光装置１００の発光スペクトルを、第一蛍光体７１の発光スペクトル、発光素子１０の発光スペクトルおよび第五蛍光体７５の発光スペクトルによって、従来は発光素子のみに由来していた青色領域の発光強度を基準光源に近づけることが容易になる。その結果、発光装置１００の演色性を向上させることができる。第五蛍光体７５の発光スペクトルにおける半値幅は、例えば２９ｎｍ以上４９ｎｍ以下であり、３４ｎｍ以上４４ｎｍ以下が好ましい。このような半値幅の範囲にすることにより、色純度を向上させて、青色領域における発光スペクトルを基準光源に近づけることができ、発光装置１００の演色性を更に向上させることができる。
【００４８】
その他の蛍光体としては、Ｃａ３Ｓｃ２Ｓｉ３Ｏ１２：Ｃｅ、ＣａＳｃ２Ｏ４：Ｃｅ、（Ｌａ，Ｙ）３Ｓｉ６Ｎ１１：Ｃｅ、（Ｃａ，Ｓｒ，Ｂａ）３Ｓｉ６Ｏ９Ｎ４：Ｅｕ、（Ｃａ，Ｓｒ，Ｂａ）３Ｓｉ６Ｏ１２Ｎ２：Ｅｕ、（Ｂａ，Ｓｒ，Ｃａ)Ｓｉ２Ｏ２Ｎ２：Ｅｕ、（Ｃａ，Ｓｒ，Ｂａ）２Ｓｉ５Ｎ８：Ｅｕ、（Ｃａ，Ｓｒ，Ｂａ）Ｓ：Ｅｕ、（Ｂａ，Ｓｒ，Ｃａ）Ｇａ２Ｓ４：Ｅｕ、Ｋ２（Ｓｉ，Ｔｉ，Ｇｅ）Ｆ６：Ｍｎ等を挙げることができる。蛍光部材５０がその他の蛍光体を含む場合、その含有率は本発明に係る発光特性が得られるように適宜調整される。その他の蛍光体の含有率は総蛍光体量に対して、例えば２質量％以下であり、１質量％以下が好ましい。
【００４９】
（樹脂部）
蛍光部材５０を構成する樹脂部としては、熱可塑性樹脂及び熱硬化性樹脂が挙げられる。熱硬化性樹脂として、具体的には、エポキシ樹脂、シリコーン樹脂、エポキシ変性シリコーン樹脂等の変性シリコーン樹脂などを挙げることができる。
【００５０】
（その他成分）
蛍光部材５０は、蛍光体７０及び樹脂に加えてその他の成分を必要に応じて含んでいてもよい。その他の成分としては、シリカ、チタン酸バリウム、酸化チタン、酸化アルミニウム等のフィラー、光安定化剤、着色剤等を挙げることができる。蛍光部材がその他の成分を含む場合、その含有量は特に制限されず、目的等に応じて適宜選択することができる。例えば、その他の成分として、フィラーを含む場合、その含有量は樹脂１００質量部に対して、０．０１から２０質量部とすることができる。
【００５１】
以下、発光装置の好ましい形態を説明する。
【００５２】
図３Ａは発光装置２００を上面側から見たときの模式的上面図であり、図３Ｂは図３Ａ中の３Ｂ−３Ｂ線における模式的端面図である。図３Ａでは、内部の構造を示すため蛍光部材５０および蛍光体７０は省略して図示している。発光装置２００は、発光素子１０と、発光素子１０を載置するパッケージ４０と、蛍光体７０を含有する蛍光部材５０とを有する。パッケージ４０は、第１リード２０、第２リード３０および樹脂部４２を有し、上面側に凹部２を有する。発光装置２００は、凹部２内に単一の蛍光部材５０を有し、単一の蛍光部材５０は第一蛍光体７１、第二蛍光体７２、第三蛍光体７３および第四蛍光体７４の４種の蛍光体を含む。
【００５３】
発光装置２００では、単一の蛍光部材５０内に特定の４種の蛍光体を含有させることで、優れた演色性を有する発光装置とすることができる。また、発光装置２００では、蛍光部材５０に含有される蛍光体７０の含有密度は、発光素子１０の上面を基準として、上方の領域よりも下方の領域のほうが高くなっている。これにより、凹部２の開口から蛍光体７０を離間させることができるので、水分に弱い蛍光体（例えば、第四蛍光体７４としてのＭＧＦ蛍光体）を用いたとしても耐湿性を改善した発光装置とすることができる。
【００５４】
発光装置２００は、さらにツェナーダイオード等の保護素子１２を有していてもよい。これにより、発光装置２００の静電耐圧を向上させることができる。また、保護素子１２は酸化チタン等の光反射性物質を含む光反射性部材４３に内包されていることが好ましい。これにより、保護素子１２に発光素子１０の光が吸収されることもなく、光取り出し効率の高い発光装置とすることができる。保護素子１２は、凹部２の底面に載置される。
【００５５】
図４Ａは発光装置３００を上面側から見たときの模式的上面図であり、図４Ｂは図４Ａ中の４Ｂ−４Ｂ線における模式的端面図である。発光装置３００は、第五蛍光体７５をさらに含む点で発光装置２００と異なる。なお、第五蛍光体７５は、４４０ｎｍ以上４６０ｎｍ以下の範囲に発光ピーク波長を有する発光素子１０の光で励起されやすい蛍光体であってもよいし、発光素子１０の光で励起されない又はほとんど励起されない蛍光体であってもよい。換言すると、第五蛍光体７５は、発光素子１０からの光を青色に実質的に変換しなくてもよい。
第五蛍光体７５として、発光素子１０の光で励起されやすい蛍光体を用いた場合は、青色領域における発光スペクトルを基準光源に近づけることができ、発光装置１００の演色性を更に向上させることができる。
また、第五蛍光体７５として、発光素子１０の光で励起されない又はほとんど励起されない蛍光体を用いた場合は、蛍光部材５０が発光素子１０の熱により膨張や収縮をする場合に、その応力を緩和させる役割を持つ。
【００５６】
また、図４Ａで示すように、発光装置３００は発光素子１０と異なる発光ピーク波長を有する発光素子１１をさらに有していてもよい。発光素子１１は、例えば、発光素子１０よりも短波側に発光ピーク波長を有し、４１０ｎｍ以上４４０ｎｍ以下の範囲に発光ピーク波長を有する。発光装置３００が互いに異なる発光ピーク波長を有する発光素子１０および発光素子１１を備えることで、一方の発光素子の光では励起されない蛍光体を用いたとしても、他方の発光素子で効率的に励起させることができる。その結果、蛍光体７０として使用できる蛍光体の選択肢が増え、各波長領域の発光強度を基準光源に近づけることが容易になり、発光装置の演色性を向上させることができる。
【００５７】
第五蛍光体７５は、第一蛍光体７１、第二蛍光体７２、第三蛍光体７３および第四蛍光体７４と比べて、比重の小さい蛍光体であることが好ましい。第五蛍光体７５として比重の小さい蛍光体を用いることで、蛍光部材５０内で、第五蛍光体７５が上方に位置することになる。これにより、第五蛍光体７５が凹部２の開口側で水分等の侵入を抑制することができ、水分に弱い蛍光体（例えば、第四蛍光体７４としてのＭＧＦ蛍光体）を用いたとしても耐湿性を改善した発光装置とすることができる。また、第五蛍光体７５が光劣化しやすい蛍光体である場合は、発光素子１０から離間させることができるので、信頼性の高い発光装置とすることができる。
【００５８】
図５は発光装置５００を示す模式的端面図である。発光装置４００は、発光素子１０と、発光素子１０を載置するパッケージ４０と、蛍光部材５０とを有する。蛍光部材５０は、第一蛍光体７１を含有する第１層５１、第二蛍光体７２を含有する第２層５２、第三蛍光体７３を含有する第３層５３および第四蛍光体７４を含有する第４層５４を有する。蛍光部材５０が複数の層を有し各蛍光体がそれぞれの層に含有されることで、第一蛍光体７１ないし第四蛍光体７４を好ましい配置関係で容易に配置することができる。図５で示す発光装置４００は、第１層５１ないし第４層５４は、発光素子１０の上方に配置され、第４層５４、第３層５３、第２層５２および第１層５１が発光素子１０の上面から順に配置されている。換言すると、発光素子１０の近傍には長波長の光を発する蛍光体層が配置し、発光素子１０から離れる方向において、より短波長の光を発する蛍光体層が並ぶように配置されている。これにより、蛍光体同士の波長の吸収を抑制することができ、光取り出し効率の高い発光装置とすることができる。また、第四蛍光体７４として水分に弱い蛍光体（例えばＭＧＦ蛍光体）を用いたとしても、第四蛍光体７４を含有する第４層５４を凹部２の開口から離間させて配置することができるので、耐湿性を改善した発光装置とすることができる。なお、図５で示す発光装置４００は、１つの蛍光体層に１種類の蛍光体が含有されているが、これに限らず、１つの蛍光体層に２つ以上の蛍光体が含有されていてもよい。
【００５９】
図６は発光装置５００を示す模式的端面図である。発光装置５００は、発光素子１０と、発光素子１０の側面に設けられた透光性部材４５と、透光性部材４５の外面を覆い酸化チタン等の光反射性物質を含む樹脂部４２と、発光装置５００の発光面として機能する上面側に蛍光部材５０とを有する。蛍光部材５０は、第一蛍光体７１を含有する第１層５１、第二蛍光体７２を含有する第２層５２、第三蛍光体７３を含有する第３層５３および第四蛍光体７４を含有する第４層５４を有する。発光装置５００は、特定の発光ピーク波長を有する発光素子１０と、少なくとも４種の特定の蛍光体を含むことで発光スペクトルを基準光源のスペクトルに近づけることができる。また、蛍光部材５０が複数の層を有し各蛍光体がそれぞれの層に含有されることで、第一蛍光体７１ないし第四蛍光体７４を好ましい配置関係で容易に配置することができる。なお、発光装置５００は、１つの蛍光体層に２つ以上の蛍光体が含有されていてもよいし、蛍光部材５０が単一の層からなり、単一の蛍光部材５０内に少なくとも４種の蛍光体が含有されていてもよい。
【００６０】
図７は複数のパッケージ４０を備える発光装置６００を示す模式的上面図である。発光装置６００は、複数のパッケージ４０と、発光素子１０と、第一蛍光体７１ないし第四蛍光体７４とを有する。図７で示す発光装置６００では、第一蛍光体７１は第１パッケージ４０ａに配置され、第二蛍光体７２は第２パッケージ４０ｂに配置され、第三蛍光体７３は第３パッケージ４０ｃに配置され、第四蛍光体７４は第４パッケージ４０ｄに配置されている。発光装置６００が複数のパッケージを備え、各蛍光体が各パッケージに配置されることで、蛍光体同士の吸収を抑制することができる。その結果、光取り出し効率の高い発光装置とすることができる。なお、図７で示す発光装置６００では、１つの蛍光体が１つのパッケージに配置されているが、これに限らず、２つ以上の蛍光体が１つのパッケージに配置されていてもよい。
【産業上の利用可能性】
【００６１】
本開示の発光装置は、青色発光ダイオードを励起光源とする発光特性に優れた照明器具、ＬＥＤディスプレイ、カメラのフラッシュライト、液晶バックライト光源などに利用することができる。特に、高度な演色性が求められる医療用、美術用照明装置や色比較向けの光源等に好適に利用することができる。
【符号の説明】
【００６２】
１００，２００，３００，４００，５００，６００  発光装置
２  凹部
１０  発光素子
１１  発光素子
１２  保護素子
２０  第１リード
３０  第２リード
４０  パッケージ
４０ａ  第１パッケージ
４０ｂ  第２パッケージ
４０ｃ  第３パッケージ
４０ｄ  第４パッケージ
４２  樹脂部
４３  光反射性部材
４５  透光性部材
５０  蛍光部材
５１  第１層
５２  第２層
５３  第３層
５４  第４層
６０  ワイヤ
７０  蛍光体
７１  第一蛍光体
７２  第二蛍光体
７３  第三蛍光体
７４  第四蛍光体
７５  第五蛍光体
【図１】
2019016632.tif 000003
【図２Ａ】
2019016632.tif 000004
【図２Ｂ】
2019016632.tif 000005
【図２Ｃ】
2019016632.tif 000006
【図３Ａ】
2019016632.tif 000007
【図３Ｂ】
2019016632.tif 000008
【図４Ａ】
2019016632.tif 000009
【図４Ｂ】
2019016632.tif 000010
【図５】
2019016632.tif 000011
【図６】
2019016632.tif 000012
【図７】
2019016632.tif 000013